(57)【要約】【課題】  合成樹脂や針金等の金属材を用いることなく、可燃性の天然素材のみにより形成され、近年における松葉飾りや松枝飾りと同等以上の見た目を呈しながらも、お焚き上げをした際に、有害ガスを生じることなく、焼け跡における後片付けを不要にした本物の松を用いない松葉飾りおよびこれを用いた松枝飾りを提供する。【解決手段】  枝部材１０と、枝部材１０に固定手段３０により一端側で固定された複数本の水引き２０からなる松葉とを具備し、全体が焼却可能な材料で形成されていることを特徴とする。【選択図】        図３
2005248399.tif 000002
【特許請求の範囲】
【請求項１】
枝部材と、
前記枝部材に固定手段により一端側で固定された複数本の水引きからなる松葉とを具備し、
全体が焼却可能な材料で形成されていることを特徴とする松葉飾り。
【請求項２】
前記固定手段により前記複数本の水引きが一端側で固定され、該水引きが固定されたままの状態で、前記水引きの固定部を前記枝部材の先端に、前記水引きが並列している方向に所要巻き数で巻回されて前記枝部材上に固定されていることを特徴とする請求項１記載の松葉飾り。
【請求項３】
前記固定手段により前記複数本の水引きが一端側で固定され、該水引きが固定されたままの状態で、前記水引きの固定部を前記枝部材の先端に、前記水引きが並列している方向に所要巻き数で螺旋状に巻回されて前記枝部材上に固定されていることを特徴とする請求項１記載の松葉飾り。
【請求項４】
前記複数本の水引きにより囲まれた前記枝部材の一端に、焼却可能な材料からなる芽部材が固定されていることを特徴とする請求項１〜３のうちのいずれか一項に記載の松葉飾り。
【請求項５】
前記枝部材が紙製材料からなることを特徴とする請求項１〜４のうちのいずれか一項に記載の松葉飾り。
【請求項６】
前記枝部材が綿棒からなることを特徴とする請求項１〜４のうちのいずれか一項に記載の松葉飾り。
【請求項７】
前記枝部材が竹ひごからなることを特徴とする請求項１〜４のうちのいずれか一項に記載の松葉飾り。
【請求項８】
前記固定手段が接着剤であることを特徴とする請求項１〜７のうちのいずれか一項記載の松葉飾り。
【請求項９】
前記固定手段が粘着テープであることを特徴とする請求項１〜７のうちのいずれか一項に記載の松葉飾り。
【請求項１０】
前記複数本の水引きの一端部が２枚の前記粘着テープ間に挟まれて接着されていることを特徴とする請求項９記載の松葉飾り。
【請求項１１】
請求項１〜１０のうちのいずれか一項に記載されている松葉飾りが単数又は複数箇所所要間隔をおいて、焼却可能な材料からなる本枝部材に前記枝部材を介して固定されていることを特徴とする松枝飾り。                                                                
【発明の詳細な説明】
【技術分野】
【０００１】
本発明は、松葉飾りおよびこれを用いた松枝飾りに関し、より詳細には、正月の玄関飾り等に用いられ、使用済みになった場合には、分別することなく焼却処分することが可能であると共に、焼却処分しても有害ガスを生じることのない松葉飾りおよびこれを用いた松枝飾りに関する。
【背景技術】
【０００２】
従来、玄関飾りに用いられる松葉飾りや松枝飾りは、本物の松の枝を切り取ったものが用いられていた。ところが、本物の松の枝を切り落としたものは値段が高くなってしまうという課題や、乾燥すると葉の部分が枝から落ちてしまい、松葉飾りや松枝飾りが見た目に優れなくなってしまうという課題や、落下した松の葉の後片付けが面倒であるといった課題があった。
そこで、近年においては、葉の部分に合成樹脂を用い、葉を束ねたり、枝の芯材として針金等を用いて形成した松葉飾りや松枝飾りが製造販売され、広く用いられている。
出願人は、このような松葉飾りおよび松枝飾りに関する先行技術文献を検索したが、関連すると思われる文献は見出すことができなかった。
【特許文献１】無し
【非特許文献１】無し
【発明の開示】
【発明が解決しようとする課題】
【０００３】
古来より日本の正月には、玄関に松葉飾りや松枝飾りを用いた玄関飾りが飾られる。このような松葉飾りおよび松枝飾りは正月を過ぎた後にどんどん焼き等といったいわゆるお焚き上げをすることにより焼却処理されることが多い。どんどん焼き等のお焚き上げは、田や公共の広場で行われるため、合成樹脂や針金を使用している松葉飾りや松枝飾りを用いた玄関飾り等を焼却処分すると、有害ガスが発生したり、焼け跡から針金を除去しなければならないといった課題がある。
【０００４】
そこで、本発明は、合成樹脂や針金等の金属材を用いることなく、可燃性の天然素材のみにより形成され、近年における松葉飾りや松枝飾りと同等以上の見た目を呈しながらも、お焚き上げをした際に、有害ガスを生じることなく、焼け跡における不燃物の後片付けを不要にした本物の松を用いない松葉飾りおよびこれを用いた松枝飾りの提供を目的としている。
【課題を解決するための手段】
【０００５】
本発明は、枝部材と、前記枝部材に固定手段により一端側で固定された複数本の水引きからなる松葉とを具備し、全体が焼却可能な材料で形成されていることを特徴とする松葉飾りである。
【０００６】
また、前記固定手段により前記複数本の水引きが一端側で固定され、該水引きが固定されたままの状態で、前記水引きの固定部を前記枝部材の先端に、前記水引きが並列している方向に所要巻き数で巻回されて前記枝部材上に固定されていることを特徴とする。
さらに、前記固定手段により前記複数本の水引きが一端側で固定され、該水引きが固定されたままの状態で、前記水引きの固定部を前記枝部材の先端に、前記水引きが並列している方向に所要巻き数で螺旋状に巻回されて前記枝部材上に固定されていることを特徴とする。
さらにまた、前記複数本の水引きにより囲まれた前記枝部材の一端に、焼却可能な材料からなる芽部材が固定されていることを特徴とする。
これらにより、実物に近い形状の松葉飾りを焼却可能な天然素材からなる人工材料により形成することが可能になる。
【０００７】
また、前記枝部材が紙製材料からなることを特徴とする。
さらにまた、前記枝部材が綿棒からなることを特徴とする。
また、前記枝部材が竹ひごからなることを特徴とする。
これらにより形成された松葉飾りは、焼却しても有害ガスを生じることがなく、環境に与える負荷を軽減させることができる。また、材料の入手が容易であると共に安価な松葉飾りを提供することができる。
【０００８】
また、前記固定手段が接着剤であることを特徴とする。
また、前記固定手段が粘着テープであることを特徴とする。
また、前記複数本の水引きの一端部が２枚の前記粘着テープ間に挟まれて接着されていることを特徴とする。
これらにより、水引きの取りまとめが容易になるため、効率的な松葉飾りの製造が可能になり、製造コストの増加を最小限に抑えることができる。
【０００９】
また、上記に説明したうちのいずれかに記載されている松葉飾りが単数又は複数箇所所要間隔をおいて、焼却可能な材料からなる本枝部材に前記枝部材を介して固定されていることを特徴とする松枝飾りである。
【発明の効果】
【００１０】
本発明による本物の松を用いない松葉飾りおよびこれを用いた松枝飾りによれば、近年の松葉飾りおよび松枝飾りの製作においては欠かすことのできない合成樹脂や針金等の金属材料の使用をなくし、可燃性の天然材料によりのみ製作されているので、どんどん焼き等のお焚き上げにおいてこれらを用いた飾り物を焼却処分しても、有害ガスを生じることなく、しかも、焼け跡からの不燃物の除去作業を不要にすることが可能になる。
したがって、環境負荷の少ない松葉飾りや松枝飾りを提供することが可能になる。
【発明を実施するための最良の形態】
【００１１】
以下、添付図面に基づいて本発明の最良の実施の形態を詳細に説明する。本実例の形態においては、枝部材１０に竹ひごを用いた松葉飾り５０について説明する。
図１は、本実施の形態における松葉飾りの水引きの一端部を粘着テープでまとめた状態を示す説明図である。図２は、粘着テープで取りまとめた水引きの一端部に枝部材の竹ひごを固定した状態を示す説明図である。図３は竹ひごの外周に水引きを巻回している状態を示す説明図である。図４は本実施の形態における松葉飾りの一例を示す説明図である。
【００１２】
松葉飾り５０は、竹ひご１０等の可燃性の天然素材からなる枝部材と、複数本の水引き２０からなる松葉とを有している。松葉となる複数本の水引き２０は、それぞれの長さが不均一になっていることが好ましい。不均一の長さに形成された複数本の水引きは、図１に示すように、並列状態に配設された後、一端部側を固定手段である粘着テープ３０により接着固定される。粘着テープ３０は水引き２０の表面側と裏面側の両面側から水引き２０を挟むようにして接着させることが好ましいが、いずれか片側面のみであってもよい。また、粘着テープ３０の少なくとも一端側には、水引き２０の配設方向において水引き２０より若干はみ出す余長部３０ａが形成されているのが好適である。
【００１３】
粘着テープ３０によって接着固定された複数本の水引き２０の一端側には、枝部材である竹ひご１０の先端部分がのり等の接着手段により接着固定される。竹ひご１０は、図２に示すように、複数本に配設された水引き２０の軸線に対して若干傾斜する角度となるようにして接着固定されるのが好ましい。
なお、余長部３０ａが粘着テープ３０の一端側にのみ配設されている場合には、余長部３０ａとは反対側における粘着テープ３０の端部に竹ひご１０が取り付けられる。
【００１４】
枝部材である竹ひご１０の先端部が複数本の水引き２０の一端部側の粘着テープ３０に固定された後、竹ひご１０が固定された側の粘着テープ３０にのり等の接着剤を塗布する。接着剤が塗布された後、図３に示すように、竹ひご１０を竹ひご１０の軸線周りに回転させながら、粘着テープ３０を竹ひご１０の外周面に所要数巻回させる。竹ひご１０は、水引き２０の軸線に対して傾斜するように接着固定されているので、水引き２０は、竹ひご１０の外周に螺旋状をなして巻回される。
【００１５】
竹ひご１０の周りに、水引き２０が巻回された後、粘着テープ３０の余長部３０ａを糊代として用い、余長部３０ａを粘着テープ３０または水引き２０に接着固定する。使用した粘着テープ３０の色が、水引き２０の色と異なる場合には、着色剤により粘着テープ３０を着色する。また、水引き２０により囲まれた竹ひご１０の先端に、必要に応じて紙製や布製の芽部材４０（図６）が取り付けられる。
以上の手順により、図４に示すような松葉飾り５０が出来上がる。松葉飾り５０は、例えば、図５に示すような玄関飾り６０等に用いることができる。
【００１６】
以上に、本発明に係る松葉飾りの実施の形態について詳細に説明してきたが、本発明は以上の形態に限定されるものではない。例えば、本実施の形態においては、枝部材に、竹ひご１０を用いているが、竹ひご１０以外であっても可燃性の天然素材を用いた材料を使用することも可能である。具体的には、紙製の棒材や木材からなる爪楊枝等を枝部材として使用することができる。また、枝部材に綿棒を用い、綿棒の綿の部分に着色をすれば、綿棒の先端部が芽部材４０の代替となり、松葉の枝の先端部形状を模すので、さらに実物に近い松葉飾り５０にすることが可能になる。
【００１７】
また、以上に示した松葉飾り５０の枝部材の端部を、枝部材に用いた竹ひご１０や紙製の棒材の径寸法以上の径寸法を有する竹ひご１０や紙製の棒材からなる本枝部材７０に、粘着テープ４５等により巻き付けて取り付けすれば、図６に示すような松枝飾り８０を作成することができる。本枝部材７０への粘着テープ４５の巻回は、粘着テープ４５の巻回後における本枝部材７０の表面が滑らかであるよりも、多少の凹凸が形成されるように巻回すれば樹皮の状態をより忠実に表現することが可能になり、好都合である。
なお、図６に示す松枝飾り８０は、水引き２０の軸線に対して枝部材の軸線が傾斜しないようにして取り付けられているので、五葉松の形状を模した松枝飾り８０となっている。
【００１８】
さらに、粘着テープ３０と枝部材１０の固定は、複数本の水引き２０の一端部を固定した粘着テープ３０の表面の全体に、接着剤を塗布した後に粘着テープ３０への竹ひご１０の固定を行えば、竹ひご１０を取り付けた後に直ちに水引き２０を巻回させることができ、効率的な松葉飾りの製作が可能になるため好都合である。
また、本実施の形態においては、固定手段として紙製の粘着テープ３０を用いているが、例えば、水引き２０を束状にまとめ、水引き２０の束の中心部分に紙芯等の枝部材を差し込んだ後に、のり等の自然素材からなる接着剤を注入することによっても松葉飾り５０を作成することができる。また、この方法により作成した松葉飾り５０においては、接着部分の外周を粘着テープ３０で巻回すれば、固定部分の補強がされるためさらに好適である。
【図面の簡単な説明】
【００１９】
【図１】本実施の形態における松葉飾りの水引きの一端部を粘着テープでまとめた状態を示す説明図である。
【図２】粘着テープで取りまとめた水引きの一端部に枝部材の竹ひごを固定した状態を示す説明図である。
【図３】竹ひごの外周に水引きを巻回している状態を示す説明図である。
【図４】本実施の形態における松葉飾りの一例を示す説明図である。
【図５】本実施の形態において作成した松葉飾りを用いた玄関飾りの一例を示す説明図である。
【図６】松枝飾りの一例を示す説明図である。
【符号の説明】
【００２０】
１０  竹ひご
２０  水引き
３０  粘着テープ
３０ａ  余長部
４０  芽部材
４５  粘着テープ
５０  松葉飾り
６０  玄関飾り
７０  本枝部材
８０  松枝飾り                                                            
【図１】
2005248399.tif 000003
【図２】
2005248399.tif 000004
【図３】
2005248399.tif 000005
【図４】
2005248399.tif 000006
【図５】
2005248399.tif 000007
【図６】
2005248399.tif 000008